(57)【要約】【課題】一定量の塗液を連続して塗布することが可能で、かつ塗布する面にストレスを与えることなく塗布可能な液体塗布具を提供すること。【解決手段】連続した気孔を内部に有する多孔質体で塗液充填部より毛細管力により塗液を吸い上げ、多孔質体表面の植毛が施された塗布部にて塗液を塗布することを特徴とする液体塗布具。【選択図】図１
2010149441.tif 000002
【特許請求の範囲】
【請求項１】
連続した気孔を内部に有する多孔質体で塗液充填部より毛細管力により塗液を吸い上げ、多孔質体表面の植毛が施された塗布部にて塗液を塗布することを特徴とする液体塗布具。
【請求項２】
前記多孔質体が合成繊維体であることを特徴とする請求項１記載の液体塗布具。
【請求項３】
前記合成繊維体がナイロン繊維体あるいはＰＥＴ繊維体であることを特徴とする請求項２記載の液体塗布具。
【発明の詳細な説明】
【技術分野】
【０００１】
本発明は、化粧用、筆記具用及び薬剤塗布用として有用な液体塗布具に関する。
【背景技術】
【０００２】
液体塗布具には、ボトル内の塗液をボトルのキャップなどに備え付けられた塗布部に含ませ、肌等へ塗布するディップ式（例えば、特許文献１）がある。
しかしながら、それらディップ式の液体塗布具は、塗布部が含むことのできる塗液の量が少ないため、使用の際に何度も塗液を塗布部に含ませなければならず非常に手間であった。
また、塗布部に含ませる塗液の量を調節することが難しく、必要以上に塗液を含ませてしまい適量塗布が困難であったり、反対に少ない場合には使用の際に塗布部が乾いてしまっていた。
【０００３】
一方、ディップ式の液体塗布具に対し、ボディー内部の中綿等に充填された塗液を毛細管力で吸い上げ、一定量塗布することが可能な塗布具（例えば、特許文献２）がある。
しかしながら、前記塗布具は、中綿等に充填された塗液を吸い上げる繊維体と塗布する繊維体が同一であるため、中綿等に充填された塗液を一定量吸い上げるように設計した繊維体が、硬く、表面がざらついていたりすると、肌等のデリケートな部分へ塗布する場合に痛みを感じさせてしまったり、傷つけてしまう場合があった。
また、肌等のデリケートな部分へ塗布することを目的として、細径の繊維と軟らかい樹脂バインダの組み合わせにより繊維体をできるだけ軟らかく、表面を滑らかに設計した場合でも、塗布部表面の繊維同士が樹脂バインダにより結着していることから、肌へのざらつき感を解消するまでに至っていない状況であった。
【特許文献１】特許第２７５４０４５号公報
【特許文献２】特開２００６−１９８０４７号公報
【発明の開示】
【発明が解決しようとする課題】
【０００４】
本発明は、一定量の塗液を連続して塗布することが可能で、かつ塗布する面に過度のストレスを与えることなく塗布可能な液体塗布具を提供することを目的とする。
【課題を解決するための手段】
【０００５】
本発明の請求項１に記載の発明は、連続した気孔を内部に有する多孔質体で塗液充填部より毛細管力により塗液を吸い上げ、多孔質体表面の植毛が施された塗布部にて塗液を塗布することを特徴とする液体塗布具である。
【０００６】
また、請求項２に記載の発明は、請求項１に記載の液体塗布具において、前記多孔質体が繊維体であることを特徴とするものである。
【０００７】
また、請求項３に記載の発明は、請求項２に記載の液体塗布具において、前記繊維体がナイロン繊維体あるいはＰＥＴ繊維体であることを特徴とするものである。
【発明の効果】
【０００８】
本発明によれば、塗液充填部より毛細管力により吸い上げた塗液を連続して一定量塗布することが可能で、かつ塗布する面に過度のストレスを与えることなく塗布することが可能な液体塗布具を提供することができる。
【０００９】
また、植毛した塗布部のパイルが塗布する面の細かい部分に入り込むため、塗布する面が平面である場合だけでなく凹凸のある面である場合にも塗液を塗布することが可能な液体塗布具をも提供することができる。
【００１０】
また、植毛した塗布部のパイルが髪の毛やまつ毛や眉毛等の繊維に絡むため、塗布するものが繊維状である場合にも効率的に塗液を塗布することが可能な液体塗布具をも提供することができる。
【００１１】
さらには、植毛した塗布部のパイルが塗布する面との間に発生する摩擦や引っかかりを低減させるため、滑らかな塗布感が得られ、インクジェットプリンター等にて印刷された文字に上書きしても印字がにじみにくい液体塗布具をも提供することができる。
【００１２】
加えて、塗布圧を調整することで、塗布する面への塗液の付着量を調整することが可能となり、特に塗布圧を抑えた場合に眉毛など毛並みを表現することが可能な液体塗布具をも提供することができる。
【００１３】
また、植毛した塗布部が多くの塗液を保持するため、キャップを外した際に塗布部が乾いてしまうドライアップ現象が発生しづらく、塗布する面に多くの塗液を供給することが可能な液体塗布具をも提供することができる。
【発明を実施するための最良の形態】
【００１４】
本発明について、以下具体的に説明する。
【００１５】
本発明における連続した気孔を内部に有する多孔質体とは、例えば、羊毛、アクリル繊維、ナイロン繊維、ＰＥＴ繊維などの繊維束を成形ダイスに通し加熱して所要の断面形状・寸法に成形し、次に樹脂バインダ液に浸漬せしめた後、乾燥装置で乾燥と一次硬化とを行い、さらに加熱装置に通して樹脂硬化せしめて成形して棒状体を得、その後、指定の長さにカットし、先端、後端を研磨して液体塗布具を得る製造方法、その他の公知の製造方法により得られたものである。
【００１６】
なお、繊維束の結着方法は、前記のとおり繊維束を樹脂バインダ液に浸漬せしめて結着してもよいし、繊維束に融点の低い合成繊維を混ぜ、加熱し、熱融着により結着してもよい。
【００１７】
また、使用する樹脂バインダ液は、例えば、尿素樹脂、ポリウレタン樹脂、メラミン樹脂などが挙げられる。
【００１８】
本発明における多孔質体表面の植毛とは、例えば、高圧静電界における静電吸引力を利用しあらかじめ接着剤を塗布した多孔質体表面にパイルを植え付けたもので、その後接着剤層を乾燥・加熱・硬化させることにより植え付けたパイルを固定する加工方法である静電植毛、その他の公知の植毛方法により得られたものである。
【００１９】
多孔質体表面に植毛するパイルは、例えば、綿、絹、羊毛、麻類等の天然繊維、ポリエステル、ナイロン、ビニロン、ポリアセタール、ポリウレタン、アクリル、アラミド等の合成繊維、アセテート等の半合成繊維、レーヨン、キュプラ、ポリノジック等の再生繊維、ポリエチレン、ポリプロピレン、ポリスチレン、ポリ塩化ビニルなどの繊維径が０．５５〜６６デシテックス、繊維長が０．３〜５ｍｍのものが挙げられる。
【００２０】
また、多孔質体表面への植毛に使用する接着剤は、例えば、アクリル酸エステル樹脂系エマルジョン接着剤、アクリル酸エステル−酢酸ビニル共重合体系エマルジョン接着剤、ポリ酢酸ビニル系エマルジョン接着剤、ポリウレタン樹脂エマルジョン接着剤、ポリエステル系エマルジョン接着剤、エポキシ樹脂系エマルジョン系接着剤、エチレン−酢酸ビニル共重合体（ＥＶＡ）系接着剤、スチレンブタジエンゴム（ＳＢＲ）ラテックス系接着剤、ニトリルゴム（ＮＢＲ）ラテックス系接着剤、ポリウレタン樹脂溶剤系接着剤、エポキシ樹脂系溶剤系接着剤が挙げられる。中でも、塗液の塗布面への浸透のしやすさから、アクリル系が好ましい。
【実施例】
【００２１】
本発明の実施の態様を実施例に基づいて説明する。
【００２２】
図１には、本発明の液体塗布具における実施の一形態を例示しており、単糸が２．２デシテックスでポリエステル繊維からなるゲレン１２ｇ／ｍのスライバーを、６ｍｍφの貫通穴を有する２２３℃に加熱された成形ダイス内を通過させ、圧縮緻密化され、６ｍｍφの繊維束を得た。その後、ポリイソシアネートとポリエステルポリオールを配合した樹脂バインダ液（濃度＝５％）に浸漬させ、樹脂バインダ液を乾燥硬化させて棒状体を得た。その後、指定の長さにカットし、先端、後端を研磨して砲弾形状の多孔質体を得た。
その後、前記多孔質体の塗布部表面に静電植毛するための接着剤であるアクリル樹脂を塗布し、０．９デシテックス、長さ０．８ｍｍのナイロンのパイルを静電植毛して液体塗布具を得た。
【００２３】
図２には、本発明の液体塗布具における使用時の一形態を例示しており、本発明の液体塗布具を、内部に中綿等の塗液充填部を有するボディーにホルダーを使用して組み付けたものである。
【００２４】
図３には、本発明の液体塗布具における他の実施の一形態を例示しており、丸棒状の多孔質体を筆形状に研磨し、その後、塗布部表面に植毛し得たものである。
【００２５】
図４には、本発明の液体塗布具における他の実施の一形態を例示しており、丸棒状の多孔質体をチゼル形状に研磨し、その後、塗布部表面に植毛し得たものである。
【００２６】
図５には、本発明の液体塗布具における他の実施の一形態を例示しており、丸棒状の多孔質体をネイル形状に研磨し、その後、塗布部表面に植毛し得たものである。
【００２７】
図６には、本発明の液体塗布具における他の実施の一形態を例示しており、角棒状の多孔質体の両端をチゼル形状に研磨し、その後、塗布部表面に植毛し得たものである。
【００２８】
図７には、本発明の液体塗布具における他の実施の一形態を例示しており、中空部を有する丸棒状の多孔質体をネイル形状に研磨し、その後、塗布部表面に植毛し得たものである。
【００２９】
図８には、本発明の液体塗布具における他の実施の一形態を例示しており、丸棒状の多孔質体の先端部を球体形状に、後端部を略円錐形状に研磨し、その後、多孔質体外周部を研磨してシャンク部を設け、塗布部表面に植毛し得たものである。
【００３０】
図９には、本発明の液体塗布具における他の実施の一形態を例示しており、平板状の多孔質体の両端をチゼル形状に研磨し、その後、塗布部表面の一部に植毛し得たものである。
【００３１】
以上、本発明の実施例について説明したが、本発明はこれらの実施形態に何等限定されるものではない。
【００３２】
例えば、連続した気孔を内部に有する多孔質体は、相互に連通状の連続気孔を有する立体網目構造で、かつ塗布具としての保形性を有しながら適度の可撓性を兼ね備えた熱可塑性生成物（ポリオレフィン系フォーム）からなるものでもよく、熱可塑性樹脂製の各粒状粒子が互いに部分的に融着し、かつ各粒状粒子間に相互に連通状の連続気孔を形成している焼結法で成形される多孔質体である態様であってもよいし、熱可塑性樹脂に酸で溶解される微粉末状無機化合物を混合し、成形後に前記無機化合物を酸で溶出させて、溶出跡に気孔を形成している溶出法で成形される多孔質体である態様であってもよい。
【００３３】
また、塗布具は、丸棒状、角棒状、その他の適宜形状のものでよく、塗布具の塗布面部は、筆形状、ネイル形状、チゼル形状等の公知の形状の何れであってもよい。
【００３４】
また、図８のように、液体塗布具を組み付けるホルダーに合わせシャンク部を有する段付形状に加工してもよいし、図示していないが、塗布具の外周部やシャンク部等へリング状の溝を設けてもよいし、空気置換等に有効な縦溝を設けてもよい。
【００３５】
さらには、塗布具表面をポリアセタール樹脂等で被覆しても良いし、植毛するパイルや多孔質体や被覆部分の色を塗液の色や使用用途に合わせていろいろな色に設定してもよい。
【００３６】
また、パイルを植毛する多孔質体表面に、あらかじめプライマー処理をして接着力を高めてもよい。
【００３７】
また、パイルの形状は、ベンディングタイプ（屈曲型）、直線型、カール型等の公知の形状の何れであってもよい。
【００３８】
また、多孔質体表面のパイルを植毛する範囲を広くすることで、香水などの芳香剤や消臭剤などの塗液を塗布するだけでなく、放散させる機能を持たせてもよい。
【産業上の利用可能性】
【００３９】
本発明の液体塗布具は、例えば化粧用として有用であり、特にアイライナー、アイシャドウ、アイブロー、毛染めマーカー、チーク、リップライナー、リップグロス、コンシーラー、マニキュアリムーバー、ネイルケア、スキンケア、ホワイトニング、メイク落とし、歯の清掃、まつ毛ケア、香水ペンに適している。
【００４０】
また、例えば筆記具用としても有用であり、特に油性マーカー、ボードマーカー、ラインマーカー、ペイントマーカー、水性マーカー、医療用マーカー、プラモデル用マーカー等のマーキングペンに適している。
【００４１】
さらには、例えば薬剤塗布用としても有用であり、特に芳香剤、消臭剤、防虫剤、液状シップ剤、日焼け止め、サンオイル、にきび治療薬などの塗布に適している。
【図面の簡単な説明】
【００４２】
【図１】液体塗布具の一形態
【図２】液体塗布具の使用時の一形態
【図３】液体塗布具の一形態
【図４】液体塗布具の一形態
【図５】液体塗布具の一形態
【図６】液体塗布具の一形態
【図７】液体塗布具の一形態
【図８】液体塗布具の一形態
【図９】液体塗布具の一形態
【符号の説明】
【００４３】
１  液体塗布具
２  塗布部
３  ホルダー
４  ボディー
５  シャンク部
【図１】
2010149441.tif 000003
【図２】
2010149441.tif 000004
【図３】
2010149441.tif 000005
【図４】
2010149441.tif 000006
【図５】
2010149441.tif 000007
【図６】
2010149441.tif 000008
【図７】
2010149441.tif 000009
【図８】
2010149441.tif 000010
【図９】
2010149441.tif 000011